(57)【要約】      （修正有）【課題】薬局に過大な負担をかけず、患者等に医薬品の成分、効能等の情報を簡易に取得させる医薬品収容用薬袋、医薬品関連情報印刷システムを提供する。【解決手段】医薬品関連情報印刷表示システム１Ａの印刷手段１３は、医薬品収容用薬袋１の表面に、収容部に収容される医薬品のイメージ情報８、第一のＱＲコード（登録商標）６、第二のＱＲコード７を印刷し表示させる。携帯電話機１０の光学読取機１６で第一のＱＲコード６を読み取らせると、ディスプレイ１８には医薬品収容用薬袋１に収容された各医薬品の成分、効能等の医薬品詳細情報が表示される。第二のＱＲコード７を読み取らせると、ディスプレイ１８には、薬局９において販売等される商品、薬局９と取引関係のある病院又は商店で提供される商品やサービス等を紹介する紹介情報が表示される。【選択図】図２
2009178343.tif 000002
【特許請求の範囲】
【請求項１】
収容部に収容される医薬品の概要を示す医薬品概要情報が表面及び裏面のうち少なくとも何れか一方に表示された医薬品収容用薬袋であって、
該表面及び裏面のうち少なくとも何れか一方に、携帯情報端末に設けられた各種光学読取機において読み取り可能で、該光学読取機の読み取り結果に基づいて、前記携帯情報端末に設けられたディスプレイ等の表示手段に前記収容部に収容される前記医薬品の成分、効能等の医薬品詳細情報を表示させる第一の２次元コードが前記医薬品概要情報と共に表示されたことを特徴とする医薬品収容用薬袋。
【請求項２】
前記第一の２次元コードは、前記収容部に収容される複数種の前記医薬品に対応して複数表示されたことを特徴とする請求項１に記載の医薬品収容用薬袋。
【請求項３】
前記表面及び前記裏面のうち少なくとも何れか一方に、前記携帯情報端末に設けられた前記各種光学読取機において読み取り可能で、該光学読取機の読取結果に基づいて、前記携帯情報端末に設けられた前記ディスプレイ等の表示手段に、前記収容部に収容される前記医薬品の提供等を行う薬局、該薬局と取引関係にある病院又は商店、前記薬局において販売等される商品、前記病院又は商店において提供される商品又はサービス等を紹介する紹介情報を表示させる第二の２次元コードが表示されたことを特徴とする請求項１又は２に記載の医薬品収容用薬袋。
【請求項４】
前記第一の２次元コード、及び前記第二の２次元コードのうち少なくとも何れか一方はＱＲコードであることを特徴とする請求項１乃至３の何れか一つに記載の医薬品収容用薬袋。
【請求項５】
請求項１に記載の医薬品概要情報のデータと該医薬品概要情報に係る医薬品の成分、効能等の医薬品詳細情報を携帯情報端末に設けられたディスプレイ等の表示手段に表示させる第一の２次元コードのデータとが関連付けられた状態で記録された記憶手段を備え、個々の前記医薬品を特定するための医薬品特定情報が入力されると、前記医薬品特定情報に係る前記医薬品の前記医薬品概要情報と前記第一の２次元コードとを医薬品収容用薬袋の表面及び前記裏面のうち少なくとも何れか一方に印刷させる印刷手段を備えたことを特徴とする医薬品関連情報印刷システム。
【発明の詳細な説明】
【技術分野】
【０００１】
本発明は、薬局等で処方、販売される医薬品を収容する薬袋、及び、処方、販売等される医薬品に関連する情報を提供する技術に関する。
【背景技術】
【０００２】
薬局においては、医師の処方せんを所持する患者や医薬品の購入を希望する購買者等（以下「患者等」と称する。本明細書において同じ。）に対し、調剤、選択等した医薬品を薬袋に収容して提供する。従来、患者等が薬袋に収容された医薬品の種類等を視覚的に認識できるように、薬袋の内部に収容された錠剤やカプセルの写真等に基づいて形成されたイメージ情報を薬袋の表面に表示させた医薬品収容用薬袋が知られている（例えば、特許文献１参照）。
【特許文献１】実用新案登録第３０３０２６９号公報
【発明の開示】
【発明が解決しようとする課題】
【０００３】
しかし、上記特許文献１に記載の発明によれば、患者等は薬袋の内部に収容された医薬品の外観を確認することはできても、これらによって、成分、効能等の医薬品詳細情報（以下単に「医薬品詳細情報」と称する。本明細書において同じ。）を確認することはできない。そのため、上記特許文献１に記載の発明においては、各医薬品の医薬品詳細情報を簡易に取得したいという患者等の潜在的要求に応えることはできないという問題がある。また、これらの医薬品詳細情報を薬袋の表面や裏面に印刷することや、医薬品詳細情報が記載された別紙を薬袋に収容したりすることも考えられるが、医師の処方した医薬品の詳細な内容を薬袋の表面や裏面に表示することは個人情報の保護という側面からみて好ましくなく、別紙を管理することは薬局の負担を増大させるという問題がある。
【０００４】
本発明はこのような問題に鑑みてなされたものであり、薬局に過大な負担をかけることなく、かつ個人情報の保護を図りつつ、患者等に医薬品の成分、効能等に関する情報を簡易に取得させる医薬品収容用薬袋、及び、医薬品関連情報印刷システムを提供することを課題としている。
【課題を解決するための手段】
【０００５】
かかる課題を解決するために、請求項１に記載の発明は、収容部に収容される医薬品の概要を示す医薬品概要情報が表面及び裏面のうち少なくとも何れか一方に表示された医薬品収容用薬袋であって、該表面及び裏面のうち少なくとも何れか一方に、携帯情報端末に設けられた各種光学読取機において読み取り可能で、該光学読取機の読み取り結果に基づいて、前記携帯情報端末に設けられたディスプレイ等の表示手段に前記収容部に収容される前記医薬品の成分、効能等の医薬品詳細情報を表示させる第一の２次元コードが前記医薬品概要情報と共に表示されたことを特徴とする。
【０００６】
請求項２に記載の発明は、請求項１に記載の構成に加え、前記第一の２次元コードは、前記収容部に収容される複数種の前記医薬品に対応して複数表示されたことを特徴とする。
【０００７】
請求項３に記載の発明は、請求項１又は２に記載の構成に加え、前記表面及び前記裏面のうち少なくとも何れか一方に、前記携帯情報端末に設けられた前記各種光学読取機において読み取り可能で、該光学読取機の読取結果に基づいて、前記携帯情報端末に設けられた前記ディスプレイ等の表示手段に、前記収容部に収容される前記医薬品の提供等を行う薬局、該薬局と取引関係にある病院又は商店、前記薬局において販売等される商品、前記病院又は商店において提供される商品又はサービス等を紹介する紹介情報を表示させる第二の２次元コードが表示されたことを特徴とする。
【０００８】
請求項４に記載の発明は、請求項１乃至３の何れか一つに記載の構成に加え、前記第一の２次元コード、及び前記第二の２次元コードのうち少なくとも何れか一方はＱＲコードであることを特徴とする。
【０００９】
請求項５に記載の発明は、医薬品関連情報印刷システムであって、請求項１に記載の医薬品概要情報のデータと該医薬品関連情報に係る医薬品の成分、効能等の医薬品詳細情報を携帯情報端末に設けられたディスプレイ等の表示手段に表示させる第一の２次元コードのデータとが関連付けられた状態で記録された記憶手段を備え、個々の前記医薬品を特定するための医薬品特定情報が入力されると、前記医薬品特定情報に係る前記医薬品の前記医薬品概要情報と前記第一の２次元コードとを医薬品収容用薬袋の表面及び前記裏面のうち少なくとも何れか一方に印刷させる印刷手段を備えたことを特徴とする。
【発明の効果】
【００１０】
請求項１に記載の発明によれば、医薬品収容用薬袋の表面及び裏面のうち少なくとも何れか一方に医薬品概要情報と共に第一の２次元コードが表示されており、この第一の２次元コードの読取結果に基づいて、携帯情報端末に設けられた表示手段に、収容部に収容される医薬品の医薬品詳細情報を表示させることにより、患者等は自己の所持する携帯情報端末を用いて、複雑なキー入力等を要することなく、容易に医薬品の成分、効能等を確認できる。また、医薬品詳細情報を逐次医薬品収容用薬袋に印刷したり、別紙に記載して予め用意したりする必要もなくなるので、患者等の病歴が不特定の第三者に開示されることを防止でき、薬局の労力も軽減される。これにより、薬局に過大な負担をかけることなく、かつ個人情報の保護を図りつつ、患者等に医薬品の成分、効能等に関する情報を簡易に取得させることができる。
【００１１】
請求項２に記載の発明によれば、第一の２次元コードは、収容部に収容される複数種の医薬品に対応して複数表示されたことにより、携帯情報端末の表示手段には患者等が取得を希望する医薬品の医薬品詳細情報を簡潔に表示させることができる。
【００１２】
請求項３に記載の発明によれば、医薬品収容用薬袋の表面及び裏面のうち少なくとも何れか一方に第二の２次元コードが表示されており、この第二の２次元コードの読取結果に基づいて、携帯情報端末に設けられた表示手段に紹介情報を表示させることにより、患者等は自己の所持する携帯情報端末を用いて、複雑なキー入力等を要することなく、容易に、医薬品の提供等を行う薬局、薬局と取引関係にある病院又は商店、薬局において販売等される商品、病院又は商店において提供される商品又はサービス等の情報を表示させることができる。これにより、医薬品収容用薬袋に薬局への集客機能や情報発信機能を持たせ、患者等の購買意欲を促進させることができる。
【００１３】
請求項４に記載の発明によれば、第一の２次元コード、及び第二の２次元コードのうち少なくとも何れか一方はＱＲコードであることにより、携帯情報端末に設けられた光学読取機で読み取り可能な２次元コードを容易に形成できる。
【００１４】
請求項５に記載の発明によれば、印刷手段においては、請求項１に記載の医薬品概要情報のデータと該医薬品概要情報に係る医薬品の医薬品詳細情報を表示させる第一の２次元コードのデータとが関連付けられた状態で記憶手段に記録されており、医薬品特定情報に係る医薬品の医薬品概要情報と第一の２次元コードとを医薬品収容用薬袋の表面及び裏面のうち少なくとも何れか一方に印刷させることにより、本発明に係る医薬品収容用薬袋を容易に作成できる。
【発明を実施するための最良の形態】
【００１５】
図１乃至図４は、この発明の一の実施の形態を示す図である。
【００１６】
図１は、この実施の形態の医薬品収容用薬袋の正面図である。同図に示す医薬品収容用薬袋１の薬袋本体部２は紙、ビニール等の材質で上側が開口された袋状に形成されており、薬局等で処方、販売されるカプセル剤、錠剤、粉薬等の医薬品（以下単に「医薬品」と称する。）を収容できる大きさに形成されている。薬袋本体部２の開口部３の内部には、医薬品が収容される収容部４が形成されている。
【００１７】
図１に示すように、薬袋本体部２の表面には、イメージ情報表示部５と、「第一の２次元コード」としての第一のＱＲコード６と、「第二の２次元コード」としての第二のＱＲコード７とが表示されている。
【００１８】
イメージ情報表示部５には、収容部に収容される医薬品の概要を示す「医薬品概要情報」としての、収容部４に収容される医薬品のイメージ情報８が表示される。このイメージ情報８は、収容部４に収容される医薬品の写真、イラスト、グラフィック等が印刷されたものである。図１に示すイメージ情報８は、錠剤が錠剤パッケージに収容された状態の写真であるが、これに限らず、錠剤以外の形態の医薬品や、パッケージに未収容の医薬品でもよい。また、「医薬品概要情報」はイメージ情報８のみに限られず、収容部に収容される医薬品の概要を示すものならば、文字（例えば医薬品の名称）、図形等、どのようなものでもよい。
【００１９】
第一のＱＲコード６、及び第二のＱＲコード７は、携帯情報端末に設けられた光学読取機によって読み取り可能に形成されている。第一のＱＲコード６は、収容部４に表示される医薬品の名称や医薬品詳細情報のテキストデータに基づいて形成されている。第二のＱＲコード７は、携帯情報端末とデータベースサーバの通信に必要な情報、例えばデータベースサーバのＵＲＬのテキストデータに基づいて形成されている。
【００２０】
イメージ情報８、及び第一のＱＲコード６は、収容部４に収容される複数種の医薬品に対応して複数表示される。従って、図１に示す医薬品収容用薬袋１は１種類の医薬品のみが収容されるものであるためにイメージ情報８、第一のＱＲコード６はともに一つだけ表示されているが、例えば２種類、３種類、・・・等と複数種類の医薬品が収容部４に収容される場合には、医薬品収容用薬袋１に表示されるイメージ情報８、第一のＱＲコード６はそれぞれ２つ、３つ、・・・と医薬品の種類に対応した数量が表示されることになる。なお、第一のＱＲコード６と同様に、第二のＱＲコード７を一の医薬品収容用薬袋１に複数表示してもよい。
【００２１】
図２は、この実施の形態の「医薬品関連情報印刷システム」としての医薬品関連情報印刷表示システムの全体構成を示す図である。この医薬品関連情報印刷表示システムにおいては、１名〜複数名の患者等に対し、１袋〜複数袋の医薬品収容用薬袋によって医薬品が提供されるものであり、同図にはそのような医薬品の提供態様が模式的に示してある。
【００２２】
図２に示す通り、医薬品関連情報印刷表示システム１Ａは、薬局９において調剤、販売される医薬品を収容するｎ袋（ｎ≧１）の医薬品収容用薬袋１１，１２，・・・，１ｎと、ｎ人の患者等が所持するｎ台の「携帯情報端末」としての携帯電話機１０１，１０２，・・・，１０ｎと、データベースサーバ１１とを備え、それらがインターネット１２を介して通信可能に接続されている。
【００２３】
薬局９においては、医師の処方せんに基づく医薬品の調剤や、各種医薬品の販売が行われる。薬局９には、印刷手段１３として、ＬＡＮ等によって接続された、パーソナルコンピュータ（ＰＣ）１４、及びプリンタ１５が設置されている。パーソナルコンピュータ１４のハードディスク等の記憶手段１４ａには、取り扱う医薬品の名称や各医薬品に付与されたＩＤ番号等の、個々の医薬品を特定するための医薬品特定情報（以下単に「医薬品特定情報」と称する。本明細書において同じ。）、第一のＱＲコード６や第二のＱＲコード７や医薬品のイメージ情報８のデータ、名称やＩＤ番号に基づくＱＲコードを作成するプログラム等が記録されている。プリンタ１５はパーソナルコンピュータ１４の命令に基づいて医薬品収容用薬袋１１，１２，・・・，１ｎの表面に所定事項を印刷する機能を有する。
【００２４】
記憶手段１４ａにおいて、イメージ情報８のデータと第一のＱＲコード６のデータとは医薬品ごとに関連付けられた状態で記録されており、個々の医薬品を特定するための医薬品特定情報が入力されると、この医薬品特定情報に係る医薬品のイメージ情報８と第一のＱＲコード６とがそれぞれ医薬品の種類数だけ表示され、更に第二のＱＲコード７とを医薬品収容用薬袋１の表面に印刷される。
【００２５】
この実施の形態においては、第一のＱＲコード６、及び第二のＱＲコード７は予め生成されて記憶手段１４ａに記録されており、医薬品特定情報の入力時ごとの処理量を小さくしている。但し、医薬品特定情報の入力時毎に第一のＱＲコード６、及び第二のＱＲコード７を生成し、医薬品の新製品や新しい商店の出現等に迅速に対応させることもできる。
【００２６】
携帯電話機１０１，１０２，・・・，１０ｎは、個々の患者等が所持するものであり、図２の携帯電話機１０１に例示するように、イメージデータ等を光学的に読み取る光学読取機１６、テンキー等の操作部１７、「表示手段」としてのディスプレイ１８をそれぞれ有し、また、図示せぬＣＰＵ、ＲＡＭ、ＲＯＭ、通信インターフェース等をそれぞれ有しており、光学読取機１６が読み取った画像の解析やデータベースサーバ１１との通信等をそれぞれ行う。なお、「携帯情報端末」はＰＨＳ、ＰＤＡ、ウェアラブルコンピュータ等であってもよい。
【００２７】
なお、医薬品収容用薬袋１１，１２，・・・，１ｎ、携帯電話機１０１，１０２，・・・，１０ｎはいずれも同じ構成をとるので、以下説明の簡単のため、特に区別の必要がある場合を除き医薬品収容用薬袋１、携帯電話機１０と記載する。
【００２８】
データベースサーバ１１は、インターネット１２を介して携帯電話機１０と通信可能であって、それぞれの医薬品収容用薬袋１の収容部４に収容される医薬品の提供等を行う薬局、当該薬局と取引関係（例えば対価の支払い等を伴う債権債務関係）にある病院又は商店、薬局において販売等される商品、病院又は商店において提供される商品又はサービス等を紹介する紹介情報（以下単に「紹介情報」と称する。本明細書において同じ。）が記録されている。
【００２９】
次に、この実施の形態の作用について説明する。
【００３０】
＜医薬品収容用薬袋及び医薬品の提供＞
薬局９において医薬品の調剤、選択が行われると、薬局９の薬剤師や店員等はパーソナルコンピュータ１４に調剤、選択した医薬品の名称や医薬品に付与されたＩＤ番号等の医薬品特定情報を入力する。パーソナルコンピュータ１４は、記憶手段１４ａから、入力された医薬品特定情報に係る医薬品に関連付けられた第一のＱＲコード６のデータ、及びイメージ情報８のデータを医薬品特定情報に係る医薬品の種類数だけ抽出し、更に第二のＱＲコード７のデータを抽出し、プリンタ１５はこれらのデータに基づいて、医薬品収容用薬袋１の表面に生成された第一のＱＲコード６、第二のＱＲコード７、及び調剤、選択された医薬品のイメージ情報８を印刷し出力する。薬局９の薬剤師や店員等はプリンタ１５から出力された医薬品収容用薬袋１の収容部４に調剤、選択した医薬品を収容して患者等に提供する。
【００３１】
前述したとおり、パーソナルコンピュータ１４の記憶手段１４ａには、イメージ情報８のデータと該イメージ情報８に係る医薬品詳細情報を表示させる第一のＱＲコード６のデータとが関連付けられた状態で記録されており、印刷手段１３において、医薬品特定情報に係る医薬品のイメージ情報８と第一のＱＲコード６とが医薬品収容用薬袋１の表面に印刷されることになる。これにより、本発明に係る医薬品収容用薬袋１を容易に作成できる。
【００３２】
＜医薬品詳細情報の表示＞
医薬品の提供を受けた患者等が当該医薬品の医薬品詳細情報を取得したい場合には、自己の所持する携帯電話機１０の光学読取機１６で医薬品収容用薬袋１の第一のＱＲコード６を読み取らせる。携帯電話機１０は第一のＱＲコード６の読取結果を解析して情報を抽出し、抽出した情報をディスプレイ１８に表示させる。
【００３３】
図３に、ディスプレイ１８に表示された医薬品詳細情報のイメージ図を示す。同図に示す通り、ディスプレイ１８には第一のＱＲコード６から抽出された、医薬品収容用薬袋１に収容された各医薬品の成分、効能等の医薬品詳細情報１９がテキストデータとして表示されている。
【００３４】
このように、医薬品収容用薬袋１の表面に第一ＱＲコード６が表示されており、このＱＲコード６の読取結果に基づいて、携帯電話機１０に設けられたディスプレイ１８に、収容部４に収容される医薬品の医薬品詳細情報１９を表示させることにより、患者等は自らが所持する携帯情報端末１を用いて、複雑なキー入力等を要することなく、容易に当該医薬品の成分、効能等を確認できる。また、医薬品詳細情報１９を逐次医薬品収容用薬袋１に印刷したり、別紙に記載して予め用意したりする必要もなくなるので、患者等の病歴が不特定の第三者に開示されることを防止でき、薬局９の店員等の労力も軽減される。これにより、薬局９に過大な負担をかけることなく、かつ患者等の個人情報の保護を図りつつ、患者等に対し、医薬品の成分、効能等に関する情報を簡易に取得させることができる。
【００３５】
また、「第一の２次元コード」がＱＲコードであることにより、携帯電話機９に設けられた光学読取機１６で読み取り可能な２次元コードを容易に形成できる。
【００３６】
更に、第一のＱＲコード６は、収容部４に収容される複数種の医薬品に対応して複数表示されることにより、携帯電話機１０のディスプレイ１８には患者等が取得を希望する医薬品の医薬品詳細情報１９を簡潔に表示することができる。
【００３７】
＜紹介情報の表示＞
医薬品の提供を受けた患者等が、当該医薬品の紹介情報を取得したい場合には、自己の所持する携帯電話機１０の光学読取機１６で医薬品収容用薬袋１の第二のＱＲコード７を読み取らせる。携帯電話機１０は第二のＱＲコード７の読取結果を解析して情報等を抽出し、抽出した情報等をデータベースサーバ１１に送信する。データベースサーバ１１は受信した情報に対応する紹介情報を携帯電話機９に送信する。携帯電話機１０はデータベースサーバ１１から受信した紹介情報をディスプレイ１８に表示させる。
【００３８】
図４の（ａ）に、第二のＱＲコード７の読取結果のイメージ図を、図４の（ｂ）に、ディスプレイ１８に表示された紹介情報のイメージ図をそれぞれ示す。図４の（ａ）に示す通り、光学読取機１６で医薬品収容用薬袋１の第二のＱＲコード７を読み取らせた結果、ディスプレイ１８には「読取結果」としてのデータベースサーバ１１のＵＲＬ情報２０がテキスト表示される。この状態で患者等が携帯電話機１０の操作部１７（テンキー）をプッシュすると、図４の（ｂ）に示す、薬局９と取引関係にある病院（美容整形外科）、及び当該病院において提供されるサービス等の紹介情報２１が表示される。
【００３９】
なお、データベースサーバ１１に記録されてディスプレイ１８に表示される紹介情報は、紹介情報２１に代えて、薬局９又は薬局９と取引関係にある商店の紹介情報や、薬局９で販売される商品の紹介情報等であってもよい。
【００４０】
このように、医薬品収容用薬袋１の表面には第二のＱＲコード７が表示されており、この第二のＱＲコード７の読取結果に基づいて、携帯電話機１０に設けられたディスプレイ１８に紹介情報２１を表示させることにより、患者等は自らが所持する携帯電話機１０を用いて、複雑なキー入力等を要することなく、容易に、薬局９、当該薬局９と取引関係にある病院又は商店、薬局において販売等される商品、病院又は商店において提供される商品又はサービス等を表示させることができる。これにより、医薬品収容用薬袋１に薬局への集客機能や情報発信機能を持たせ、患者等の購買意欲を促進させることができる。
【００４１】
また、携帯電話機１０と通信可能なデータベースサーバ１１に紹介情報を記録させ、携帯電話機１０の光学読取機１６によって医薬品収容用薬袋１に表示された第二のＱＲコード７の読み取り結果に対応する紹介情報２１を送信させることにより、第二のＱＲコード７自体には記録しきれないデータ量の紹介情報であっても容易に携帯電話機１０に表示させることができる。
【００４２】
また、「第二の２次元コード」がＱＲコードであることにより、携帯電話機１０に設けられた光学読取機１６で読み取り可能な２次元コードを容易に形成できる。
【００４３】
なお、上記実施の形態においては、「第一の２次元コード」「第二の２次元コード」をそれぞれ第一のＱＲコード６、第二のＱＲコード７として形成したが、これらのうち一方又は双方をＱＲコード以外の２次元コード、例えばＰＤＦ４１７、ＤａｔａＭａｔｒｉｘ、ＭａｘｉＣｏｄｅによって形成することもできる。
【００４４】
また、上記実施の形態においては、第一のＱＲコード６を医薬品詳細情報のテキストデータに基づいて形成すると共に第二のＱＲコード７にデータベースサーバ１１のＵＲＬのテキストデータに基づいて形成したが、逆に、第一のＱＲコード６をデータベースサーバ１１のＵＲＬのテキストデータに基づいて形成すると共に第二のＱＲコード７を紹介情報のテキストデータに基づいて形成することもできる。更に、第一のＱＲコード６、第二のＱＲコード７をそれぞれ医薬品詳細情報のテキストデータ、紹介情報のテキストデータに基づいて形成することや、第一のＱＲコード６、第二のＱＲコード７をそれぞれデータベースサーバ１１のＵＲＬのテキストデータに基づいて形成することもできる。
【００４５】
また、上記実施の形態においては、イメージ情報８、第一のＱＲコード６、第二のＱＲコード７は全て薬袋本体部２の表面に表示されているものとしたが、これに限定されず、これらが全て薬袋本体部２の裏面に表示されていてもよいし、これらのうちの一部が薬袋本体部２の表面、他の一部が薬袋本体部２の裏面に表示されていてもよい。即ち、イメージ情報８、第一のＱＲコード６、第二のＱＲコード７は、薬袋本体部２のうち外部から視認可能な部分の何れかに表示されていればよい。
【００４６】
上記実施の形態は本発明の例示であり、本発明が上記実施の形態に限定されることを意味するものではないことは、いうまでもない。
【図面の簡単な説明】
【００４７】
【図１】この実施の形態の医薬品収容用薬袋の正面図である。
【図２】この実施の形態の医薬品関連情報印刷表示システムの全体構成を示す図である。
【図３】同上医薬品関連情報印刷表示システムにおいて、携帯電話機のディスプレイに表示される医薬品詳細情報のイメージ図である。
【図４】同上医薬品関連情報印刷表示システムにおいて携帯電話機のディスプレイに表示される（ａ）ＵＲＬ情報のイメージ図、（ｂ）紹介情報のイメージ図である。
【符号の説明】
【００４８】
１Ａ・・・医薬品関連情報印刷表示システム（医薬品関連情報印刷システム）
１，１１，１２，・・・，１ｎ・・・医薬品収容用薬袋
４・・・収容部
６・・・第一のＱＲコード（第一の２次元コード）
７・・・第二のＱＲコード（第二の２次元コード）
８・・・イメージ情報（医薬品概要情報）
９・・・薬局
１０，１０１，１０２，・・・，１０ｎ・・・携帯電話機（携帯情報端末）
１１・・・データベースサーバ
１３・・・印刷手段
１４ａ・・・記憶手段
１８・・・ディスプレイ（表示手段）
１９・・・医薬品詳細情報
２０・・・ＵＲＬ情報（読取結果）
２１・・・紹介情報
【図１】
2009178343.tif 000003
【図２】
2009178343.tif 000004
【図３】
2009178343.tif 000005
【図４】
2009178343.tif 000006